(57)【特許請求の範囲】
【請求項１】
上下に平面を具えてほぼ扁平体に成形したブロック内に、開口部をブロックの一側面に具えたキーの挿入孔を形成し、挿入孔内に、それぞれブロックの一方の平面に開口させたキーの操作支点軸の軸孔と、キーの差込み方向に沿って互いに適宜の間隔を置いて列設した複数の番手設定孔とを設けるとともに、挿入孔の内端部に交差させて、かつ、ブロックの他側面に開口部を具えた施錠レバーの嵌装孔を連続して設け、上記軸孔にキーの操作支点軸を挿通し、上記番手設定孔に任意数の番手ピンを挿通し、上記嵌装孔内にコイルばねと共に施錠レバーを出入自在に嵌装し、このブロックを、自転車錠本体内に形成した所定の装着部に固定するようにしたことを特徴とする自転車用錠。
【請求項２】
前記自転車錠本体は、それぞれ自転車用の、サークル錠または箱錠またはチエン錠あるいはワイヤー錠の錠本体であることを特徴とする請求項１記載の自転車用錠。
【発明の詳細な説明】
【０００１】
【産業上の利用分野】
本発明は、施錠機構部分を一つのブロック成形体に内蔵させたことを特長とする自転車用錠の改良に関する。
【０００２】
【従来の技術】
自転車用錠の錠本体部分に設けた設置部に、予め施錠機構部分を内蔵させたブロックを載置して両者を一体に結合させるようにした自転車用錠には、例えば本出願人の先願に、実開平５−１２５６８号公報がある。
【０００３】
【発明が解決しようとする課題】
上記先願の錠前は、ケース形の中空体内に多数の部材を組み込むようにしていたので、施錠機構部分の部品数が多く、かつ、組立に手数を要してコスト高になる欠点があった。また、この種の錠前として必然的に具備しなければならない番手違いを備えるために、それに対応させた部品を多種揃えなければならないという製作上の問題があった。
【０００４】
このようなことから本発明が解決しようとする課題は、施錠機構部分を一つのブロックに内蔵させた自転車用錠の部品数を低減させてより組み立て易くするとともに、簡単に番手違いの対応ができるようにして、コストダウンできるようにすることにある。
【０００５】
【課題を解決するための手段】
上記の課題を解決する手段として本発明は、上下に平面を具えてほぼ扁平体に成形したブロック内に、開口部をブロックの一側面に具えたキーの挿入孔を形成し、挿入孔内に、それぞれブロックの一方の平面に開口させたキーの操作支点軸の軸孔と、キーの差込み方向に沿って互いに適宜の間隔を置いて列設した複数の番手設定孔とを設けるとともに、挿入孔の内端部に交差させて、かつ、ブロックの他側面に開口部を具えた施錠レバーの嵌装孔を連続して設け、上記軸孔にキーの操作支点軸を挿通し、上記番手設定孔に任意数の番手ピンを挿通し、上記嵌装孔内にコイル形の付勢ばねと共に施錠レバーを出入自在に嵌装し、このブロックを、自転車錠本体内に形成した所定の装着部に固定するようにしたことを特徴とする自転車用錠を提供するものである。
【０００６】
上記のように構成した本発明錠は、ブロックの成形とともに、ブロック内に、キーの挿入孔と、キーの操作支点軸の軸孔と番手設定孔ならびに施錠レバーの嵌装孔とが同時に具わる。したがって、外郭を形成する中空体のケースを備える必要がなくなるとともに、組立の簡単化が図れる。
また、ブロックの所定位置にそれぞれ設けた開口部から、キーの操作支点軸を嵌入し、番手設定孔に適宜数の番手ピンを嵌入し、嵌装孔内にコイルばねと施錠レバーを嵌装するというきわめて簡単な操作により施錠機構部分における組立が終了する。
【０００７】
さらに個々の錠前に対する番手の付与は、列設されている番手設定孔に差し込む番手ピンの順序と有無とか間隔によって設定されるので、同一のブロックを用いて多種の番手違いの錠を製作することができる。そのため、番手違い設定のための部品を特別に備える必要がなくなり、部品数を減らしてこの種の自転車用錠のコストダウンができる。
【０００８】
また本発明は、請求項２および図面に記するように、自転車用に使用される錠であれば、サークル錠、箱錠、ワイヤー錠、チエン錠にそれぞれ採用することができる。
【０００９】
【実施例】
以下に本発明の実施例を図面について説明する。
図１は、本発明をサークル錠に用いた場合の実施例１の一部切欠正面図、図２は、同上に用いたブロックの拡大斜視図、図３は、本発明を箱錠に用いた実施例２の一部切欠正面図、図４は、ワイヤー錠に用いた実施例３の一部切欠正面図である。
【００１０】
各図において、１は、樹脂の成形体により得たブロック、２は、ブロック１の一側面に開口してブロック１内に形成したキー３の挿入孔、４は、挿入孔２の内端部に交差して連続形成されて、他側面（図１、２において右側）に開口部を具えた施錠レバー５とコイル型のばね６の嵌装孔、７は、ブロック１の一方の平面（図示裏面）に開口してキー３の挿入孔２と直交する方向（図示上下）に設けられ、キー３の挿入方向に沿って適宜の間隔でほぼ一列に適宜数配置した、番手ピン８挿入のための番手設定孔、９は、列設した番手設定孔８よりも開口部側に近づけて挿入孔２内に設けたキー３の操作支点軸、９’は、操作支点軸９の軸孔で、番手設定孔７と同様にブロック１の一方の平面（図示裏面）に開口して、同面から操作支点軸９を挿入孔２に直交して同孔内に貫通させている。
【００１１】
図１、２に示す実施例１において、ブロック１は、サークル錠本体１０の左側に延設された取付け部１１上に載置され、図示のように、挿入孔２を鍵穴１２に一致させ、嵌装孔４を閂杆１３の側面に一致させて、サークル錠本体１０を構成するベース部材ａとカバー部材ｂとに挟持され、取付けピン１’により錠本体１０と一体に固定される。
【００１２】
なお、図１、２中、１４は、施錠レバー５に閂杆１３の施錠状態を保持させるようにした切欠部、１５は、常時閂杆１３を牽引する牽引ばね、１６はサークル錠本体１０の下端部に対向して具えられて閂杆１３が出入する開口部、１７は、閂杆１３を施錠位置に移動させるための施錠操作摘みである。
【００１３】
次に本発明を自転車用箱錠に用いた実施例２を図３について説明すると、ブロック１は、箱錠１８を構成する下部の箱型ベース部材１９ａ内に収容され、側面に開口する挿入孔２を鍵穴２０に一致させ、上面に開口する嵌装孔４から突出する施錠レバー５を中空の閂杆２１内に設けたストッパー片２２と係合させ、図示の状態において施錠状態を保持する。
【００１４】
なお、図３中、２３は、閂杆２１の出入口２４を具えて箱型のベース部材１９ａと嵌合して側面からねじ止めされる箱型のカバー部材、２５は、閂杆２１の付勢ばね、２６は、箱型ベース部材１９ａ内においてブロック１を定位置に保持する保持部材、２７は、箱錠１８の下部に備えられた取付け金具、２８は、ねじ止め位置とは逆の側面でカバー部材２３と取付け金具２７を固定する掛止片である。
【００１５】
次に本発明をワイヤー錠に用いた実施例３を図４について説明すると、ワイヤー錠本体２９は、図示前後で一対をなすよう縦の割り型に形成されている。この一対のワイヤー錠本体２９の間に収容されているブロック１は、錠本体２９の図示上面に具えた鍵穴３０にキーの挿入孔２を一致させ、側面に開口する嵌装孔４から臨出させた施錠レバー５を、ワイヤー３１の自由端側に備えた擬宝珠３２の周溝部３３に係合させて、施錠状態を保持する。
【００１６】
擬宝珠３２は、錠本体２９内に備えた付勢ばね３４とコ字形の押し板３５とによって常時脱出方向に付勢されており、施錠レバー５の後退によって周溝部３３の掛止が開放されると施錠孔３６から離脱し、ワイヤー錠を開錠する。なお図中、３７は、施錠孔３６に並べて設けた保持孔３８内に保持される固定端側の擬宝珠である。
【００１７】
実施例３から推定できるように、錠本体２９に取り付けられているワイヤー３１に代えてチエンを取り付けて、本発明をチエン錠に採用する場合もある。
【００１８】
上記実施例１、２、３の説明から明らかなように、ブロック１の外形と錠本体に対する固定方法は本発明を採用する錠本体の形状によってそれぞれの錠前への装着に適する態様に設計変更されるもので、キー３の挿入孔２、施錠レバー５の嵌装孔４の位置もそれに準じて適宜に変更することができ、実施例の態様に限定されるものではない。また、ブロック１の成形は、樹脂の他、アルミ、亜鉛のダイカストを用いることができ、またプレスによって得る場合もある。
【００１９】
前述のように施錠状態にある錠本体１０、１８、２９の鍵穴１２、２０、３０にキー３を差し込み、操作支点軸９を支点として所定の方向に回転させると、それぞれのキー３に設けている切り欠き３’が番手ピン８を回避して回動し、キー３の先端部で施錠状態にある施錠レバー５を付勢ばねに抗して後退させることによって開錠できる。
【００２０】
なお、図中３９は、嵌装孔４内で施錠レバーを抜け止めするように、番手設定孔７のほぼ延長上に設けた抜止めピンである。
【００２１】
以上図示した実施例ではスライド型の施錠レバー５を備えているが、本発明の実施に際しては、嵌装孔４内でピン軸にヒンジさせた回転型の施錠レバーをキー３の開錠操作に連動させるようにする場合もあり、キー３と施錠レバー５との対偶構造は、本発明の要旨に沿って適宜に設計変更することができる。
【００２２】
【発明の効果】
前記のように構成され、上記のように用いられるようにした本発明によれば、施錠機構部分を一つのブロックに内蔵させた自転車用錠の部品数が低減するので施錠機構部分を従前品に比べてより組み立て易くするとともに、１個のブロックに挿入する番手ピンの数と間隔を適宜に選択することによって簡単に番手違いの対応ができる。また、番手違いのための部材としてピンを用いると、列設する番手設定孔の開口間隔も可及的に短縮されるので比較的に多種の番手違いの製品が得られるとともに、この種の自転車用錠をコストダウンすることができるなどの優れた効果がある。
【図面の簡単な説明】
【図１】図１は、本発明をサークル錠に用いた場合の実施例１の一部切欠正面図
【図２】図２は、実施例１に用いたブロックの拡大斜視図
【図３】図３は、本発明を箱錠に用いた実施例２の一部切欠正面図
【図４】図４は、ワイヤー錠に用いた実施例３の一部切欠正面図である。
【符号の説明】
１  ブロック    （１’  取付けピン）
２  挿入孔
３  キー
４  嵌装孔
５  施錠レバー
６  コイルばね
７  番手設定孔
８  番手ピン
９  操作支点軸
１０  錠本体
１２  鍵穴
１３  閂杆
１８  箱錠本体
２０  鍵穴
２１  閂杆
２９  ワイヤー錠本体
３０  鍵穴
３１  ワイヤー
３２  擬宝珠
【図１】
0003637533.tif 000002
【図２】
0003637533.tif 000003
【図３】
0003637533.tif 000004
【図４】
0003637533.tif 000005